(57)【要約】【課題】  施設の電気システムを監視するシステムは、１つ以上の局所検知装置を含む。これら局所検知装置はそれぞれ、電気システムから電力を受ける各負荷に近接する施設の電気システムに接続するようになっている。これにより、前記施設の電気システムの１つ以上の地点において、負荷にかかる電圧の局所測定と、電力の存在の連続性測定とを行うことができる。処理装置は、局所測定値を受け取って、かかる局所測定値を施設に供給された電圧の基準測定値と比較し、これにより、電気システム内の故障を検出することができる。【選択図】図１
2007526992.tif 000002
【特許請求の範囲】
【請求項１】
主電源装置を有する施設の電気システムにおける故障を検出するシステムであって、
前記電気システムから電力を受ける潜在的負荷の接続点に近接する点の電圧を測定する少なくとも１つの検知装置と、
既知の範囲値と以前の測定値に基づき異常測定値を検出するために前記電圧測定値を分析する少なくとも１つの処理装置とを備えたシステム。
【請求項２】
前記局所電圧検知装置が、各負荷が電力を受ける源である電気ソケットに連結するようになっている請求項１記載のシステム。
【請求項３】
前記局所電圧検知装置の少なくとも１つが、
各負荷のパワープラグを収容するよう構成されたリセプタクルと、
リセプタクルに電気的に接続して電気ソケットに挿入されるよう構成されたプロングと、
リセプタクルとプロングとの間の電圧を測定するために連結された電圧センサとを備えたプラグアダプタを備える請求項２記載のシステム。
【請求項４】
前記局所電圧検知装置のそれぞれが、上記処理装置と通信するために通信インタフェースを備える請求項１記載のシステム。
【請求項５】
前記通信インタフェースが、有線通信手段又は無線通信手段を介して前記局所電圧検知装置と前記処理装置との間においてメッセージを伝達するようになっている請求項４記載のシステム。
【請求項６】
前記局所電圧検知装置の少なくともいくつかのそれぞれが、前記処理装置が故障を検出したとき各負荷への電力を遮断するよう前記処理装置によって制御可能なブレーカを備える請求項１記載のシステム。
【請求項７】
施設に供給された電圧と経過時間の基準値測定を行うようにした基準検知装置を更に備える請求項１記載のシステム。
【請求項８】
前記基準検知装置が本線電力が施設に入る接続点に近接した位置において基準値測定を行うよう接続された請求項７記載のシステム。
【請求項９】
前記処理装置が前記局所電圧検知装置の少なくとも１つと一緒に配置される請求項１記載のシステム。
【請求項１０】
前記処理装置が、施設内の様々な位置に配置された前記局所電圧検知装置による局所測定値を受け取るようにした中央制御装置を備える請求項１記載のシステム。
【請求項１１】
前記処理装置が、局所測定値と基準測定値とを比較することにより施設内の電気故障と施設外の電気故障とを区別するようにした請求項１記載のシステム。
【請求項１２】
前記処理装置が、前記局所電圧検知装置のそれぞれの正常動作パターンを学習して、正常動作パターンに対する局所測定値の偏差に対応して故障を検出するようにした請求項１記載のシステム。
【請求項１３】
前記処理装置が、システムの学習段階中に正常動作パターンを学習するようにし、電気システム内の異常電圧動作を含む不規則性が学習段階中に検出可能である請求項１２記載のシステム。
【請求項１４】
電力の存在の不連続性を測定する少なくとも１つの連続性センサを更に備えた請求項１記載のシステム。
【請求項１５】
連続性センサが、電力が装置に連続的に加えられて以来の経過時間又は通過交流（ＡＣ）サイクル数を計数する請求項１４記載のシステム。
【請求項１６】
上記処理装置が、基準連続性センサ測定値又は他の連続性センサ測定値と比較して上記連続性センサ測定値をチェックする請求項１４記載のシステム。
【請求項１７】
施設の電気システムを監視する方法であって、前記電気システムは少なくとも１つの検知装置を含み、
前記局所電圧検知装置を使用して負荷のそれぞれにかかる電圧の局所測定を行う工程と、
施設に供給される電圧の基準値測定を行う工程と、
局所測定値及び／又は基準測定値の少なくとも１つを通信媒体を通して処理装置に伝達する工程と、
電気システムの故障を検出するために、処理装置を使用して、既知の範囲値及び以前の測定値に基づき局所測定値を解析する工程とを備えた方法。
【請求項１８】
前記局所検知装置の少なくとも１つを各負荷が電力を受ける源である電気ソケットに連結することによって、局所電圧検知装置が接続される請求項１７記載の方法。
【請求項１９】
前記局所電圧検知装置の少なくとも１つがプラグアダプタを備え、プラグアダプタが、各負荷のパワープラグを収容するよう構成されたリセプタクルと、
リセプタクルに電気的に接続して電気ソケットに挿入されるよう構成されたプロングと、
リセプタクルとプロングとの間の電圧を測定するために連結された電圧センサとを備える請求項１７記載の方法。
【請求項２０】
前記局所測定値と前記基準測定値の少なくとも１つの通信が、有線通信手段又は無線通信手段を介してメッセージを伝達する手段を備える請求項１７記載の方法。
【請求項２１】
前記局所測定値と前記基準測定値の少なくとも１つの通信が、無線媒体を介してメッセージを伝達する手段を備える請求項１７記載の方法。
【請求項２２】
故障検出に対応して各負荷への電力を遮断するために前記局所電圧検知装置の１つを使用する工程を備えた請求項１７記載の方法。
【請求項２３】
基準値測定の実施過程が、基準電圧検知装置を本線電力が施設に入る接続点に近接するよう接続する過程を備える請求項１７記載の方法。
【請求項２４】
基準値測定の実施過程が、施設の外部にある本線における基準電圧を検知する過程を備える請求項１７記載の方法。
【請求項２５】
局所測定値と基準測定値との比較過程が、測定値の比較に基づき施設内部の電気故障と施設外部の電気故障とを区別するステップを備える請求項１７記載の方法。
【請求項２６】
局所電圧検知装置のそれぞれの正常動作パターンを学習する過程を備えた方法において、
前記局所測定値と前記基準測定値との比較過程が、正常動作パターンに対する局所測定値の偏差に対応して故障を検出するステップを備える請求項１７記載の方法。
【請求項２７】
正常動作パターンを学習する過程が学習段階中における正常動作を監視する工程を備え、学習段階中に発生した不具合に対応して電気システムにおける故障を検出する工程を備える請求項２６記載の方法。
【請求項２８】
電力の存在の不連続性を少なくとも１つの連続性センサによって測定する工程を更に備えた請求項１７記載の方法。
【請求項２９】
連続性測定が、電力が連続的に装置に加わって以来の経過時間又は通過交流（ＡＣ）サイクル数を計数する工程を含む請求項２８記載の方法。
【請求項３０】
前記処理装置が、連続性センサ測定値を、基準連続性センサ測定値又は他の連続性センサ測定値と比較してチェックする請求項２８記載の方法。
【請求項３１】
主電源装置を有する施設の電気システムにおける故障を検出する装置であって、
前記電気システムから電力を受ける潜在的負荷の接続点に近接する点における電圧を測定する少なくとも１つの検知手段と、
既知の範囲値と以前の測定値に基づき異常測定値を検出するために前記電圧測定値を解析する少なくとも１つの処理装置とを備えた装置。
【発明の詳細な説明】
【技術分野】
【０００１】
本発明は、電気保安の分野に関する。特に、本発明は、配線システムと接続電気機器における電気故障を早期に自動で検出することができるシステムと方法に関する。
【背景技術】
【０００２】
電気を使用するほとんどすべての施設には、ヒューズ及び／又はブレーカを含むシステムが装備されているので、電気故障が発生した際には電気供給は遮断される。これらの装置は、短絡、負荷の接続／切断、短期配線切断、又はその他の電気故障によって通常発生する過電流又はその他の電流関連現象を検知することによって作動する（例えば、アーク故障回路遮断装置がアーク故障を示す電流変化を検出する場合や、接地故障回路遮断装置が流入電流と流出電流とを比較する場合等）。近代的な建築やその他の施設には近代的な電気火災予防装置が装備されているにもかかわらず、施設内の負荷への不適切な電力供給はよく見られ、依然として重大な危険要因であり続けている。米国消防庁によれば、例えば、近年家庭における電気問題によって、毎年９万件の火災が発生し、死者７００名超、財産損失高７億ドルにのぼる。かかる火災は、配線故障、配線に接続する電気機器の故障、配線自体間の接続における故障、又は電気負荷への導電電気システムのその他の部分に起因する。電気障害は間欠的であったり固定的であったりするので、電気負荷の必要な動作の断続的な障害を招いたり、かかる負荷が全く作動しなくなったりする。
【０００３】
多くの電気火災は、導体の温度が著しく上昇する電気故障が直接的な結果である。１つの導体片が浪費する電力は、その１つの導体片にかかる電圧とその導体を流れる電流に比例している。
【０００４】
特定の電気機器が消費する電圧と電流を測定することは公知である。かかる測定によって、ユーザによって供給される総電力が指示され、それに応じてユーザに電気支払い請求がなされる。近年、電気故障の早期検出については、多くの試みがなされてきた。現行の電気火災予防装置の例としては、ヒューズ、ブレーカ、及びアーク故障回路遮断装置が挙げられる。ヒューズは、そこを流れる電流が所定レベルを超えたとき溶融することによりヒューズに接続する回路への電気供給を遮断するよう設計されている一片のワイヤである。ブレーカも、そこを流れる電流が所定レベルを超えていないかどうかチェックする。アーク故障回路安全装置は、アーク故障を示す電流及び／又は電圧の変化を検出するためにそこを流れる電流をチェックするとともに、そこを流れる電流が所定レベルを超えていないかどうかチェックする。しかしながら、これらの装置は、回路のすべての抵抗又はインピーダンスを１つの等価抵抗として扱うよう設計されているので、導体、抵抗、キャパシタ、コイル、及び回路を構成するその他の部品のそれぞれにおけるエネルギー消費量についてはなんら表示がない。加えて、施設内の配線の老朽化によって、追加電力を消費する「寄生」抵抗が生じる。現行の予防装置は、所望負荷と寄生負荷との間の電力比を測定することができない。場合によっては、寄生抵抗は、電流制限器として働いて故障回路における電流がその回路で使用されているヒューズ又はブレーカの所定の作動レベルの範囲を超えないよう機能することがある。こういったケースは、対象負荷が小さい抵抗を有する電気回路においてよく見られる（例えば、非常に小さいＤＣ抵抗を示す機械モータなど）。かかるケースは、短絡を引き起こす故障配線問題下でも見られることがあり、寄生抵抗との直列接続によって、短絡回路を流れる電流は使用ヒューズ又は使用ブレーカの作動レベルを下回るように制限される。
【０００５】
その他のケースにおいては、寄生抵抗における温度の上昇自体が火災の原因になる。これらのケースは、対象負荷がベーキングオーブン等の「純粋抵抗」負荷である電気回路でよく見られる。回路抵抗全体の一部としての寄生抵抗の比率が増大することによって、寄生抵抗が浪費する総回路電力の比率が増大する。これによって、電気システムの寄生負荷の温度が著しく上昇して、火災が生じるおそれがある。
【０００６】
一部の装置においては、チェックプロセスは、それ自体を流れる電流が所定限界を超えたとき屈曲して電流を遮断するバイメタル導体によって行われる。他の一部の装置においては、チェックプロセスは、磁力を発生する電磁石によって行われる。磁力はそこを流れる電流に比例する。磁力の存在は装置内の機械接続に影響を及ぼし、結果として負荷への電流が停止する。予防装置は、適切な負荷に直列接続するように電気回路内に組み込まれる。結果として、予防装置に流れる電流は、予防装置自体におけるエネルギー浪費を引き起こす。これによって、その予防装置が加熱され、更には腐食、導体の炭化、予防装置自体を構成する様々な部分の機械的変形等といった追加の望ましくない現象に至るおそれがある。ひいては、電流故障を検出する予防装置の能力は深刻な影響を受ける。
【０００７】
更に、施設における電気故障を検出するために様々なチェックが適用されている。これらのチェックは規制に基づき実施され、電気故障が疑われるケースに対して実施され、故障位置が特定されていない故障の兆候を受けて実施され、予防保守活動又はそれに類似する活動として行われる。これらのテストには、配線、配電盤、その他の電気機器の赤外線撮影がある。他のテストとしては、配線／電気機器問題に関する超音波検出がある。しかしながら、これらのチェックを行うには、被検施設の一部として恒常的に運用さるものではない特別な装置が必要である。したがって、これらの装置は、かかる特定の試験装置がテストを実施するために設置されたときに発生した問題しか検出できない。
【０００８】
この他の試みには、電流を測定することによって電気故障を検出する装置がある。かかる装置には、ワイヤ内のアーク放電の兆候をチェックするＡＦＣＩ（アーク故障回路遮断装置）、ＥＬＣＩ（装置漏電回路安全装置）、回路に流入する電気を監視して、回路に流入する電気量が戻ってくる電気量と異なる場合には電流を遮断するＧＦＣＩ（接地故障回路遮断装置）、パワープラグの一部として構成されるＬＣＤＩ（漏れ電流検出安全装置）、装置内に一体型部品として組み込まれるＡＬＣＩ（装置漏れ電流安全装置）、及び電気機器（ヘアドライヤなど）の水浸を検出するＩＤＣＩ（水浸検出回路安全装置）がある。
【０００９】
従来技術の中に、米国特許第６，４４５，１８８号があり、その開示内容は、本願に引用して援用されており、電流・電圧センサを含む知的自動監視ＡＣパワープラグが記載されている。このプラグには、微小プリント基板、フィルター付き電源装置、マイクロコントローラ、及び外部インタフェースが含まれている。電圧センサと電流センサとの読取り値の組合せに基づいて、マイクロコントローラ上で実行される組込みプログラムは負荷となっている装置が消費する電力を測定することができる。コンピュータとの間でデータをやりとりできるよう、プラグは特別なインタフェースコネクタに接続してもよい。インタフェースによって、複数のプラグ装置を中央の読取装置とつなぐネットワークを形成することも可能である。
【００１０】
他の例としては、米国特許第５，３１５，２３６号において、電気ソケットに挿入され、かつ電気機器のプラグを収容するソケットを有する電力計が記載されている。代替として、電力計は壁面スイッチ又はコンセントの一部であってもよい。米国特許第５，８６９，９６０号には、同種の装置が記載されている。電圧テストと電力監視に関するその他の参考文献としては、米国特許第４，６７２，５５５号、第４，８５８，１４１号、第４，８８４，０２２号、及び第５，１９６，９８２号が挙げられる。これらのいずれの特許の開示内容も、本願に引用して援用されている。
【発明の開示】
【発明が解決しようとする課題】
【００１１】
しかしながら、現行の方法のいずれもが、施設内の負荷に並列する電圧レベルを監視することによって電気システム内の電気故障を早期検出する改善されたシステムについて提案していないことに注目すべきである。
【００１２】
したがって本発明は、局所電圧レベル（負荷に対して並列）を監視すること、並びに前記施設の電気システムの電気回路に沿った１つ以上の地点における電力の存在の連続性測定値を監視することによって、施設内の電気故障を早期に自動的に検出するシステム及び方法を提案することを目的とする。
【００１３】
更に本発明は、施設内で最も発生しそうな電気故障の種類と故障の具体的位置を更に決定することを目的とする。
【課題を解決するための手段】
【００１４】
本発明は、住宅、事業所、車両、航空機、船舶等の施設の電気システムにおける１つ以上の地点において局所電圧レベルと電力の存在の連続性測定値を監視するシステムと方法を提供する（本特許出願と特許請求の範囲においては、電気システムとは、施設の壁、天井、及び床の内部の配線等の固定配線、固定導電性設備、及びシステムによって作動する電気機器の着脱式配線・回路を含むと解釈するものとする）。局所電圧と電力の存在に関する連続性測定値における変化を測定し追跡することによって、システムは、配線、導電性設備、配線によって作動する電気機器における故障を示す可能性がある変化や事象を検出することができる。多くの場合、これらの電圧変化や電力の存在の不連続性によって、公知のシステムよりも、かかる故障について更に信頼できる表示と早期警告がなされる。
【００１５】
本発明の実施形態によれば、電圧レベルを検知し、電力が装置に連続的に加えられて以来通過した交流（ＡＣ）サイクル数を計数することにより電力の存在の連続性を測定する検知装置が提供される。検知装置は、施設内の電気回路に沿った様々な場所に配置される。
【００１６】
検知装置は通常、プラグアダプタ等として構成される。プラグアダプタは、様々な電気機器のパワープラグとこれらのパワープラグに電力供給するソケットとの間に挿入される。代替として又は追加として、局所電圧レベル及び／又は連続性測定装置は、コンセントやスイッチの内部、又は作動機器のパワープラグやその他の部品の内部に含まれていてもよい。
【００１７】
局所検知装置は通常、その局所電圧読取り値と連続性測定値を、中央制御監視ステーションに伝達する。
【００１８】
代替的に、１つ以上のコントローラを各検知装置と共に配置させてもよいし、施設内に分散配置してもよい。局所検知装置と中央ステーションは、他の通信ネットワークを要しないように、施設の電気配線にのせた信号を変調することによって通信することが好ましい。代替として、公知の専用制御ライン、データ通信ネットワーク、又は無線周波（ＲＦ）、赤外線（ＩＲ）、音響リンク等の無線通信リンク等といった、他の通信手段を使用してもよい。
【００１９】
中央ステーション（又は分散プロセッサ）は、局所検知装置が接続する局所負荷にかかる電圧を示す受取り読取り値を監視する。通常、電圧読取り値は、中央ステーションによって又は本線電力が施設に入る地点付近の他の局所検知装置によって測定された非負荷基準電圧値と比較される。代替として、基準電圧値は、外部ソースから得てもよい。例えば、電気を供給する電気事業会社から得てもよい。加えて、処理装置は、局所検知装置が検知した以前の電圧レベルを分析し、予測電圧値を決定することができるので、他の装置による基準値の有無に関わらず計算された基準値を有することができる。
【００２０】
基準値は、直流（ＤＣ）電力の場合は単に電圧レベルであり、交流（ＡＣ）電力システムの場合は、振幅表示と位相表示との組合せである。ＡＣ電力システムにおいては、検知装置自体によって検知される電圧が時間に依存するので、基準値は時間に依存し得る。電圧を基準値及び／又は他の測定値と比較することによって、処理装置は故障の存在を検出し、実際の電圧故障と、本線電圧の変動や特定の電気機器の正常動作において発生し得る負荷の変動とを区別し、好ましくは電気網において進行又は発生した故障の位置を特定することができる。代替として又は追加として、一部の故障状態は、基準電圧情報がなくても検出することができる。
【００２１】
処理装置は更に、データと検知値を格納して経時的に計算を行うようになっている。これら計算には、積分、加算平均、標準偏差、二乗平均平方根（ＲＭＳ）計算及び／又は電気故障を識別するために必要なその他の統計的計算やデータ処理が含まれる。
【００２２】
加えて、処理装置は、電力が検知装置に連続的に加えられて以来の経過時間又は通過ＡＣサイクルを分析することができる。処理装置は、この電力連続性情報を他の検知装置による又は不揮発性メモリに格納されたデータによるかかる情報と比較する。加えて、処理装置は、この処理を実施するために外部電源に依存することなく外部電力連続性を検出するバッテリ又はキャパシタのような局所電源を含むこともできる。
【００２３】
しかしながら、測定及び／又は計算された値を表示し人がこれらの値を分析できるようにする装置を組み込むことも可能である。かかる装置は、通信媒体が全くなくても構成することができるので、非常に安価で組込みと設置が容易である。
【００２４】
したがって、本発明の一実施形態によれば、主電源装置を有する施設の電気システムにおける故障を検出するシステムが提供される。前記システムは、前記電気システムから電力を受ける潜在的負荷の地点に近接する地点の電圧レベル及び／又は連続性測定値を測定する少なくとも１つの検知装置と、既知の範囲の値と以前の測定値に基づき異常測定値を検出するために前記電圧測定値と連続性測定値を分析する少なくとも１つの処理装置とを含む。
【００２５】
開示実施形態において、局所検知装置は、各負荷が電力を受ける源である電気ソケットに連結されるようになっている。通常、局所検知装置の少なくとも１つがプラグアダプタを含む。このプラグアダプタは、各負荷のパワープラグを収容するよう構成されたリセプタクルと、リセプタクルに電気的に接続して電気ソケットに挿入されるよう構成されたプロングと、リセプタクルとプロングとの間の電圧と電力が検知装置のそれぞれに連続的に加えられて以来経過した時間（又はＡＣサイクル）とを測定するために連結された電圧センサとを含む。
【００２６】
本発明の一態様において、局所検知装置のそれぞれが、システムの他の部分と通信するための通信インタフェースを含む。通信インタフェースは、局所検知装置と他の処理装置又は他の検知装置との間においてメッセージを伝達するようになっていることが好ましい。この通信は、電気システムの電力ラインを通して送られる信号の変調によって実行される。
【００２７】
本発明の一実施形態において、局所検知装置のそれぞれ（又は少なくとも一部）が、プロセッサが故障を検出したとき各負荷への電力を遮断するよう制御されることが可能なブレーカを含むことができる。
【００２８】
代替として、地絡故障を起こすリレーを使用してもよい。これは、接地故障回路遮断装置をその一部として有する施設において有用であり得る。意図的に発生されたかかる地絡故障によって、接地故障回路遮断装置は作動し、施設の大部分、又は更には施設全体に対して動力源を断つ。故障検出の場合におけるこのような電力切断メカニズムは、故障負荷自体の切断よりも、安価に実施できるとともにより良い電気火災予防効果を提供する。
【００２９】
一部の実施形態において、システムは、施設に供給された電圧の基準測定を行うようにした基準検知装置を含む。通常、基準検知装置は、本線電力が施設に入る地点に近接した位置において基準測定を行うよう接続される。
【００３０】
様々な処理装置は、局所検知装置の少なくとも１つと共に配置されてもよいし、中央制御装置内に含まれてもよい。この中央制御装置は、施設内の様々な位置に配置された局所検知装置による局所測定値を受け取るようになっている。
【００３１】
本発明の一態様において、プロセッサは、施設内の電気故障と施設外の電気故障とを区別するため、局所測定値と計算基準測定値とを比較するようになっている。プロセッサは更に、システム内の故障位置を特定するようになっている。追加として又は代替として、処理装置は、局所電圧検知装置のそれぞれに応じて、電圧レベルと連続性測定値の正常挙動パターンを認識して、正常挙動パターンに対する局所測定値の偏差に対応して故障を検出するようになっている。通常、処理装置は、システムの認識段階中に正常挙動パターンを認識し、連続監視段階中に発生した不具合に対応して電気システムにおける故障を検出するようになっている。
【００３２】
本発明の一実施形態によれば、施設の電気システムを監視する方法が提供される。この方法は、１つ以上の局所電圧検知装置のそれぞれを電気システムから電力を受ける各負荷に近接する施設の電気システムに接続することと、局所電圧検知装置を使用する負荷のそれぞれに関する局所電圧測定と連続性測定を行うことと、基準値を計算することと、施設に供給される電圧の基準測定を行うことと、局所測定値及び計算又は測定された基準値の少なくとも１つを通信媒体を通して１つ以上の処理装置に伝達することと、局所測定値を基準値と比較することと、電気システムにおける故障を検出するために処理装置を使用することとを含む。
【００３３】
基準値の測定においては、基準電圧検知装置を本線電力が施設に入る地点に近接して接続してもよいし、或いは施設外の本線において基準電圧を検知してもよい。
【００３４】
基準値の測定においては、施設内の他のかかる連続性装置による、又は施設外の連続性装置による電力連続性情報を得てもよい。
【００３５】
本発明の実施形態においては、局所測定値及び基準測定値の少なくとも１つを伝達することは、電気システムの電力線、無線通信、専用回線、データ通信ネットワーク、赤外線、又は音響媒体によって信号を変調してメッセージを伝達することを含む。
【００３６】
本発明の他の態様によれば、測定された及び／又は計算された値は、通信媒体によって、直接アナログ変調又はデジタル変調信号のいずれかを使用して伝送することができる。使用する変調方法は、受取り時の復調プロセスが十分簡単になるよう単純であることが好ましい。例えば、電力ラインにおける正弦波の周波数変調（ＦＭ）を用いると、複数の測定装置が各検知装置により測定された電圧を含む情報を伝送することが可能になる。変調は、測定電圧と装置コードとに対応して行うことができる。これにより、伝送元の装置を他の装置から識別することができる。ＦＭにおける周波数は、ラインの減衰から影響を及ぼされず、一方変化振幅に基づくＡＭはラインの減衰から非常に影響を及ぼされるので、振幅変調（ＡＭ）よりＦＭ変調の方が好ましいことに留意されたい。
【００３７】
同様に、連続性情報も、通信媒体によって伝送される。デジタルモデムメッセージ又は直接変調アナログシグナルの伝送は、連続的である必要はない。他の装置が通信媒体を使用できるようにするため、メッセージの伝送は、定期的に、又は累積変化が所定閾値を越えた場合に行うことができる。
【００３８】
本発明の特徴及び効果は、添付の図面を参照して、一例として挙げた本発明の実施形態に関する以下の説明によってさらに明らかになるであろう。
【発明を実施するための最良の形態】
【００３９】
本発明による提案システムは、配線システム内及び／又はシステムに接続する負荷における電気故障を早期に及び自動で検出することを可能にする。このシステムは、局所テストを行う場合には単一装置として組み込むこともできる。或いは、更にシステムとして組み込んで複数の配線システムと接続された負荷における電気故障の検出を行うこともできる。早期検出を行うことによって、システムを主電源装置から直ちに切断する必要がなくなる。電力は、住居、事業所、車両、航空機、船舶等の施設の電気システムの１つ以上の地点に連続的に供給されているので、システムは電気的負荷における局所電圧レベルと連続性に関する測定値を監視するようになっている。局所電圧と電力の存在に関する連続性の測定値における変化を測定・追跡することによって、システムは配線、通電装置、又は配線により作動する電気機器における故障を示し得る変化や事象を検出することができる。
【００４０】
図１は、本発明の一実施形態による提案システムの実施方法を示している。図は、典型的な住宅における電気的ネットワークを表している。この図に示した施設は住宅であるが、本発明の範囲を限定するものではない。本発明は、事業所、公共建築物、自動車、航空機、船舶、トラック等といった同様の施設においても実施可能である。外部電力ライン等の主電源装置［２４］は、住宅［２０］に電力を供給するようになっている。電力は、住宅に近接して位置するヒューズボックス［２６］に供給される。ヒューズボックスは、ヒューズ、ブレーカ、及び電圧と連続性を検知する装置を含む。次に電力は、住宅内部に位置する様々なコンセント［２８］に配線を介して配分される。コンセントは、様々な種類の電気機器に接続し、これらの電気機器は以下のように様々な負荷特性を有する。
【００４１】
電気オーブン［３０］やランプ［３２］等の加熱器具や照明器具は、抵抗性負荷特性を有する。冷蔵庫［３４］等の電動式家電機器は、誘導性負荷特性を示す。コンピュータ［３６］等の電子装置は通常、内蔵変圧器を介して作動するので、別の種類の誘導性負荷として挙動する。
【００４２】
提案システムは、局所検知装置［４６］を含む（図２を参照）。この局所検知装置は、各コンセント付近の交流（ＡＣ）電圧レベルを連続的に監視し、変調信号を中央制御装置［３８］に伝送し、結果として住宅内の様々な電気機器の動作に関する情報を提供するようになっている。検知装置は通常、プラグアダプタとして構成される。このプラグアダプタは、各種電気機器のパワープラグとこれらのパワープラグに給電するソケットとの間に挿入される。これらの検知装置は、配線システムのその他の部分に更に配置されてもよいし（例えばコンセント、スイッチ、接続箱の内部）、電気機器自体の内部に直接組み込まれてもよい。変調信号は、公知の電力線通信方式を使用して電気配線自体を伝わって制御装置に伝送される。代替として、局所検知装置は、専用回線、データ通信ネットワーク、無線周波数（ＲＦ）、赤外線（ＩＲ）、及び音波リンク等の無線通信といった、その他の公知の通信手段によって制御装置と通信することも可能である。制御装置は、検知装置のＡＣ電圧レベルの連続的電圧変動を受け取ってから、これらの読取り値を分析し基準レベルと比較する。かかる基準レベルは、主電源装置［２４］から前もって供給された電圧に対応するものである。基準レベルは、直流（ＤＣ）電力の場合には単に電圧レベルであり、交流（ＡＣ）電力システムの場合には振幅、位相の指示値の組合せである。制御装置が基準レベルに対する検知装置の電圧読取り値の異常変動を検出すると、制御装置はアラーム信号を送ることによりシステムに異常を知らせ、ヒューズボックスの内部又は機器自体の内部にあるブレーカをトリガすることによって、適切な配線への供給電圧を遮断することになる。更に、本発明によれば、制御装置は、前記基準レベルとは無関係にシステム内部の電気故障を検出するよう構成されている。かかる構成は、初期電圧指標が入手できない場合に電気故障の検出を行うためには不可欠である。
【００４３】
図２は、本発明による提案システムのブロック図である。主配線ライン［４５］は、交流（〜）を供給し、中性接続（０）を提供する。ＡＣ電力は、ヒューズボックス［２６］を通して様々な負荷［４４］に配分される。各負荷は、様々な電気機器（例えば電気オーブン、冷蔵庫、ランプ、コンピュータ等）により生じる。ヒューズボックスは主ブレーカ［４２］を含む電気回路であって、複数の並列分岐から構成される。各分岐はブレーカ［４０］を含み、主ブレーカと直列にある。提案システムは、単相ＡＣに基づく。ただし、複相ＡＣを更に用いてもよい。
【００４４】
各負荷に近接して位置する各検知装置［４６］は、各負荷に対して並列接続し、適当なＡＣ電圧レベルに関する変調信号を中央制御装置［３８］に連続的に伝送するようプログラムされている。
【００４５】
配線は、低電気抵抗を有するように設計されているので、各負荷のインピーダンスは配線よりもはるかに高い。したがって、これらの検知装置は、基準検知装置［４８］によって測定された基準レベルよりわずかに低いだけの局所負荷電圧を測定することができる。
【００４６】
複数の様々な原因によって、任意の1つの検知装置によって著しい電圧降下が測定されることがある。これらの原因には、負荷の有効インピーダンスを減少させるような負荷における短絡又はその他の機能不良、前記配線のインピーダンスの増大を引き起こす配線における接触不良又はその他の故障、及びそれらとは独立した主電源装置の電圧降下がある。急速に又は経時的に徐々に発生する局所負荷電圧の予想外の増大も、電気故障の兆候でありうる。
【００４７】
制御装置は各負荷［４４］の種類を識別する。抵抗性か、誘導性であるのか、更には誘導性のモータコイルと変圧器巻線との間も区別するのが好ましい。この制御装置は、ヒータ、オーブン、及びその他の電気機器の特徴的なオン／オフサイクルや、誘導性負荷がスイッチオンした際によく発生するスパイク等といった、各負荷の正常動作パターンをさらに認識する。
【００４８】
上記のように、制御装置は、瞬間測定値と以前の測定値を含む各検知装置による電圧測定値を追跡し分析してから、これらの測定値を基準検知装置により測定された基準電圧レベルと比較する。
【００４９】
加えて、電圧測定とは独立に、制御装置は各検知装置による連続性の測定値を分析するよう構成されている。前記測定値は、電力が各検知装置と適切な負荷に連続的に加えられて以来経過した時間を（時間単位又はＡＣサイクルによって）決定する。次にシステム内において電力が遮断された位置を検出する。特定の検知装置の測定値が連続的に漸増している状態は、電力が前記装置に連続的に供給されていることを示す。一方、繰返し再始動しているような測定値は、前記装置に供給される電力が頻繁に一時遮断されていることを示す。これらの測定値に基づき、制御装置はシステムにおける意図せぬ電力線の切断と、負荷及び検知装置自体への電力供給の欠落を検出する。例えば、制御装置は、特定の検知装置が監視する或る電気機器が一定期間を超えて連続的に作動していないことを検出することができる。この入力情報によって、制御装置は、例えばオーブンが数時間に渡っておそらく無人状態でつけっぱなしにされている場合等のように、異常な電圧変化では迅速には反映されていない危険状態を検出することができる。このために、制御装置［３８］はパソコンやその他の計算装置へ接ぐ通信インタフェースを含んでもよい。かかるインタフェースによって、制御装置又は検知装置［４６］が記録したデータはコンピュータにアップロードされて更に処理、分析、表示されることが可能になる。したがって、制御装置は負荷又は配線における故障の兆候となる異常を検出するだけでなく、最も可能性が高い電気故障の種類と特定故障位置を決定することもできる。
【００５０】
図３を参照すると、本発明の第１実施形態による局所検知装置の１実施形態が示されている。ＡＣパワープラグ［５２］とコンセント［５４］との間に位置するアダプタ［５０］は、パワープラグへプロング［５８］を挿入するための第１の一組のリセプタクル［５６］を含む。これらのリセプタクルは、プロング［６０］をコンセントに挿入するための第２の一組のリセプタクル［６２］にアダプタを介して配線されている。アダプタのハウジング内に位置する検知装置［４６］は、第１の一組のリセプタクル［５６］とアダプタのプロング［６０］とに対して並列に接続している。
【００５１】
本発明の第１実施形態によるアダプタの構成によって、単にこの種のアダプタを施設内の所望のソケットに取り付ける又は挿入することによって、施設内に提案システムを設置することが可能になる。
【００５２】
図４は、本発明の第２実施形態による局所検知装置の実施形態を示している。第２実施形態によるこの装置は、ＡＣパワープラグ［７０］内に位置している。
【００５３】
図５は、本発明の第３実施形態による局所検知装置の実施形態を示している。第３実施形態によるこの検知装置は、コンセント［７４］内に位置している。
【００５４】
図６は、本発明による局所検知装置のブロック図である。ＡＣ配線ライン［８０］［８２］は主配線ライン［４５］に接続している。電源装置［８４］は、これらの配線ラインからＡＣ電力を受けて、回路内の他の部品に給電する低ＤＣ電圧を発生する。電源装置は、局所電源［９４］を更に含む。この局所電源は、キャパシタ又は任意の種類のバッテリ（充電式バッテリも選択可能）であって、電力が電力ラインから全く供給されないとき、回路内の特定の検知装置にのみ電気エネルギーを独立して供給するために設けられている。
【００５５】
検知装置を含む電気回路は、ライン［８０］、［８２］の間の電圧レベルを測定して前記電圧レベルのデジタル信号をプロセッサ装置［８８］に伝送するアナログ／デジタルコンバータ［８６］を更に含む。
【００５６】
これらの測定値は受信された後、周波数領域フィルタリングや振幅スケーリング等といった、特定の瞬間の電圧レベルと位相を測定し決定するために必要な同様の電気演算を適用する必要はない。更に処理装置が設けられて、データと検知値を記憶し経時的に計算を行うようになっている。これらの計算には、電気故障を識別するために必要な積分、加算平均、標準偏差、二乗平均平方根（ＲＭＳ）計算及び／又はその他の統計的計算やデータ処理が含まれる。
【００５７】
連続性測定装置［９２］は、電力が検知装置に連続的に供給されて以来の経過時間又は経過ＡＣサイクルを測定するようになっていて、ライン［４５］において電力が不連続になると、前記連続性測定装置の計数手順を再始動する。プロセッサは、これらの時間測定値を提案システム内の他の連続性装置から得られた測定値と比較し、かかる値を（固有の識別コードと共に）通信インタフェース［９０］を介して制御装置［３８］（図１を参照）に伝送する。前記手順によって、特定の検知装置の異常な電力挙動を検出することができる。一連の再始動は配線接続の切断を示し、一方、連続的読出し情報は配線が切断していないことを示す。したがって、かかる時間測定を適用することによって、特定の検知装置に関する電気故障の存在を検出することができる。加えて、この連続性装置は、様々な電力供給源と再設定の仕組みを持つ複数のサブカウンタを含んでもよい。例えば、１つのカウンタは、電力供給の不連続が配線［８０］［８２］で発生した場合に計数を再始動するよう使用することができ、一方、他のカウンタは、配線内に電力が存在するか否かに関わらず検知装置に電力が供給されている時間を計数するようになっている。
【００５８】
提案されたシステムは、電圧制御発振器（ＶＣＯ）等の公知のアナログ変調回路を更に含んでもよい。電圧／周波数コンバータであるＶＣＯを適用することによって、制御装置［３８］は、電力が検知装置に供給されているかどうか判断するために、主配線ライン［４５］（図１を参照）上のアナログ変調を検知する。
【００５９】
局所検知装置［４６］の実施形態には、複数の機能ブロックが含まれている。ただし、この装置は、単一の半導体チップ、又は以下のような２つ又は３つのチップ一組に組み込むことができる。
【００６０】
一実施形態によれば、プロセッサは、限定的ファームウエアインストラクションを有するマイクロコントローラを含むので、マイクロコントローラから一定間隔にて電圧と時間の測定値が周期的に送られて制御装置により分析が行われる。
【００６１】
更に他の実施方法によれば、プロセッサはアナログ／デジタルコンバータ［８６］と連続性測定装置［９２］から受け取った電圧と時間の測定値を分析するマイクロプロセッサを含む。このマイクロプロセッサは、電圧レベル及び計数指示値の異常な変動を検出して、電気故障のおそれを指示すべく制御装置に信号を伝送する。
【００６２】
双方向通信インタフェース［９０］を通して特定の検知装置が他のかかる装置と通信するようになっているので、各プロセッサはすべての必要な測定を局所的に実施して分析することができる。
【００６３】
更に、検知装置はそれ自体に、単純なユーザインタフェースとアラーム装置一式を含んでもよい。この場合、かかる検知装置は電気故障を検出するのに必要な電圧測定と時間測定をすべて実施し、別個の制御装置を組み込む必要は全くない。この実施形態は、施設内の様々な場所に制御装置の機能が及ばないことを意味し、複数の施設による使用時に、電気エネルギーの供給元に更に近い複数の外部地点において基準測定を行う場合に特に有用である。
【００６４】
図７は、本発明によるブレーカの実施形態を示している。提案アダプタ［１００］は、第１の一組のリセプタクル［５６］、プロング［６０］、検知装置［１０２］、及び内部ブレーカ［１０４］を含む。電気故障は、上記のように検知装置内のマイクロプロセッサで検出してもよいし、又は制御装置［３８］で検出してもよい、その検出に応じて、通信インタフェースを介して検知装置にブレーカを作動するよう信号が伝送される。
【００６５】
ブレーカは、一回だけ使用可能なヒューズ及び／又はスイッチを含む予防装置である。これらは作動した後自動又は手動で再設定されるようになっている。前記予防装置は、第２の一組のリセプタクル［６０］のラインに接続する電気システムの動力源を断つために、リセプタクル内の少なくとも１つの導体を切断するよう設計されている。加えて、装置は、交流配線（〜）と施設の接地接続との間に意図的な接続を設けるように用いてもよい。この接続によって、中央接地故障回路遮断装置（ＧＦＣＩ）が作動して多数の電気機器を電力から切断することが可能になる。
【００６６】
図８、９は、本発明の一実施形態による制御装置［３８］の動作を概略的に示したフローチャートである。上記のとおり、制御装置のこれらの機能の一部又はすべては、局所検知装置［４６］又は［１０２］におけるプロセッサ［８８］によって代わりに実施されてもよい。したがって、図８、９に示した機能は以下においては制御装置［３８］によって実行されるものとして説明するが、これらの機能は制御装置内のプロセッサと局所検知装置内のプロセッサとのいずれかにより適切な方法で実行されてよいものと解釈されたい。
【００６７】
まず図８を参照する。初期認識段階［１１０］において、制御装置は各局所検知装置の正常挙動のパターンを確立するため、局所検知装置のそれぞれから電圧信号を受け取り、かかるデータを監視する。この段階は、例えば制御装置のユーザインタフェースを介してユーザが実行してもよいし、或いは検知装置が電力網に接続されたときに自動的に開始されるようにしてもよい。この段階で記録されたパターン挙動は、ライン［４５］の挙動と負荷［４４］の挙動に何ら機能不良がないことを示すはずである。ただし、この初期段階においてさえ、異常電圧挙動を含む変則状態が更に検出されることもある。段階［１１０］において、制御装置［３８］は、局所的に又は電力が施設に入る地点付近の主基準センサ［４８］によって実施される基準電圧測定に対する、各局所検知装置［４６］における正常な電圧降下挙動を記録する。
【００６８】
段階［１１０］の完了後、受信段階［１１３］において、制御装置［３８］は、電圧測定値を検知装置［４６］から受信する。これらの測定値は、施設内の局所・遠隔検知装置［４６］によって読み取られた電圧値を表す。
【００６９】
ステップ［１１４］においては、これらの電圧測定値がデータベースに記録され、後続の再点検や、ステップ［１１０］で記録された認識電圧挙動の修正のために使用される。
【００７０】
ステップ［１１５］においては、経時的に各検知装置［４６］から得た電圧測定値のパターンを分析し、各センサの電圧レベルを計算する。
【００７１】
ステップ［１１６］においては、施設の基準電圧を計算する。この基準値は、外部ソースに基づき主基準センサ［４８］によって直接生成してもよいし、各検知装置において個々に実施される測定の結果から決定してもよい。
【００７２】
ステップ［１１８］においては、制御装置［３８］は、実際の基準電圧測定読取り値と、所定の電圧上限値・下限値とを比較する。電圧限界値は、特定の施設に供給されると考えられるライン電圧の正常範囲を決定する。測定電圧が正常容範囲外である場合、制御装置はステップ［１２０］に進む。
【００７３】
ステップ［１２０］においては、検知装置［４６］の電圧読取り値をチェックする。このステップは、基準検知装置［４８］が設けられている（図２を参照）場合に限って適用される。これらの読取り値が基準電圧の増大又は減少を反映するよう同様に増大又は減少している場合（ステップ［１２２］）、制御装置は本線電源装置から電圧入力に問題があると決定する。この場合、制御装置は音響アラーム又は視覚アラームを発報してもよい。制御装置は更に、現存電気機器に損害が及ばないようにするため、施設内のヒューズボックス［２６］又は検知装置［４６］に対して、電力を遮断するよう指示することもできる。或いは、ステップ［１２４］においては、検知装置［４６］の読取り値が正常であって基準電圧読取り値の変化に同調して変化していないことをステップ［１２０］において制御装置が認識した場合、制御装置は、基準センサ［４８］自体に関する故障が存在すると決定する。例えば、基準センサへの配線が切断されているかその他の故障である可能性がある。この場合制御装置は、故障状態が疑われることを示すアラームを設定する。
【００７４】
ステップ［１２０］〜［１２４］は、主基準検知装置が設けられている場合に限って適用されることに留意されたい。一方、これ以外の場合（すなわち、基準電圧読取り値が、各検知装置個々において実施された測定から決定される場合）、ステップ［１２０］〜［１２４］は省略される。
【００７５】
ステップ［１１８］においては、制御装置［３８］は、（ステップ［１１５］で得た）基準電圧が適切な範囲内にあるかどうかチェックし、制御装置［３８］は、ステップ［１２８］に進む。ステップ［１２８］においては、制御装置は、各検知装置による電圧測定値を、所定の電圧上限値、電圧下限値と比較する。なお、このステップは、検知装置［４６］それぞれについて順番に実施しても同時に実施してもよい。各検知装置において測定値が許容範囲内にある場合、制御装置はステップ［１１３］に戻り、上記のプロセスを無制限に繰り返す。
【００７６】
それ以外の場合（すなわち、任意の検知装置による測定値がこれらの限界値が示す正常範囲外である場合、制御装置は、負荷［４４］の１つ又は配線［４５］において故障が発生したと決定する。異常な電圧読取り値を報告した検知装置の識別に基づき、制御装置は、故障の位置を特定する（ステップ［１３０］）。制御装置は、発生した故障の種類を評価するために、例えば、故障が配線［４５］におけるものか又は負荷［４４］の１つにおけるものであるかを決定するために、検知装置が報告した読取り値のパターンの分析を行うこともできる。ステップ［１３２］においては、制御装置はアラームを発報して故障位置を指示する。また制御装置は、適切なブレーカ［４０］（ヒューズボックス［２６］内）又は［１０４］（検知装置［１００］内）に対して、故障回路への供給電力を遮断するよう指示することができる。
【００７７】
次に図９を参照する。初期認識段階［１４０］においては、制御装置は各局所検知装置の正常挙動のパターンを確立するため、局所検知装置のそれぞれから連続性挙動情報を受け取り、監視する。この段階において、制御装置［３８］は、各局所検知装置［４６］の正常な連続性挙動を（時間単位又はＡＣサイクルによって）記録する。
【００７８】
データ収集段階［１４２］においては、制御装置は、連続性時間測定値を局所・遠隔検知装置［４６］から受け取る。これらの測定値は、電力が施設内の各検知装置と適切な負荷に連続的に加えられて以来経過した時間を表す。
【００７９】
ステップ［１４４］においては、これらの連続性測定値がデータベースに記録され、後続の再点検や、場合によっては、ステップ［１４０］で記録された認識連続性挙動の修正のために使用される。
【００８０】
ステップ［１４６］においては、経時的にこれらの連続性値を分析する。
【００８１】
ステップ［１４８］においては、制御装置［３８］は、遠隔検知装置の連続性測定読取り値と、所定の連続性上限値・下限値とを比較する。連続性限界値は、電力が各検知装置に連続的に加えられて以来経過する時間の正常範囲を決定する。遠隔検知装置の連続性値が正常範囲内である場合、制御装置はステップ［１５４］に進む。
【００８２】
ステップ［１５４］においては、制御装置［３８］は、局所検知装置の連続性測定読取り値と、所定の連続性上限値・下限値とを比較する。前記検知装置の連続性値が正常範囲内である場合、制御装置はステップ［１４２］に戻り、上記のプロセスを無制限に繰り返す。そうでなければ、制御装置は、電気故障の位置を指示するアラームを発報する（ステップ［１５６］）。また制御装置は、適切なブレーカ［４０］（ヒューズボックス［２６］内）又は［１０４］（検知装置［１００］内）に対して、故障回路への供給電力を遮断するよう指示することができる。
【００８３】
ステップ［１４８］において比較した遠隔検知装置の連続性値が正常範囲外であった場合、制御装置はステップ［１５０］に進む。
【００８４】
ステップ［１５０］においては、制御装置は、故障が負荷［４４］の１つにおいて発生したか、或いは配線［４５］において発生したか決定する。連続性読取り値を報告した検知装置の識別に基づき、制御装置は、故障の位置を特定する（ステップ［１５０］）。
【００８５】
ステップ［１５２］においては、制御装置は、施設内の他の検知装置に対してかかる電気故障の存在を通知する電気信号を伝送する。
【００８６】
上記の実施形態は、ＡＣライン電圧の監視、特に典型的な住宅内で実行される機能の監視について説明したが、上記の方法と装置は他の施設内の電気システムにおける故障の検出にも適宜変更を加えて同様に適用することができる。上記のとおり、本発明による実施形態と特許請求の範囲で使用される用語「施設」は、航空機、船舶、トラック等、建築物だけでなく屋外施設や車両も含めて広く解釈すべきである。本発明の原理は、かかる施設に供給されるＤＣ電圧レベルの監視にも同様に適用してもよい。
【００８７】
加えて、検知装置は、電気機器自体に更に組み込まれていてもよいし、他のスイッチや接続箱に接続されていてもよい。電力網への接続は、固定的に接続してもよいし、着脱式パワープラグを介して行ってもよい。
【００８８】
しかしながら、測定・計算値を表示して人がかかる値を分析できるようにするシステムを組み込むことも適用可能である。かかるシステムは、システムの部分間に通信媒体を設けずに構成することができるので、非常に安価でかつ組込みと設置が容易である。
【００８９】
以上、多くの具体例を記載したが、これらの具体例は本発明の範囲を限定するものでなく、好ましい実施形態の適用例として解釈されるべきである。当業者は、本発明の範囲にある他の変形例の可能性を想定するであろう。したがって、本発明の範囲は、上記の実施形態によってではなく、添付の特許請求の範囲及びその法的相当範囲によって定まるものとする。
【図面の簡単な説明】
【００９０】
【図１】本発明の実施形態による提案システムの実施形を示しており、典型的な住宅の電気網を示している。
【図２】本発明による提案システムの図である。
【図３】本発明の第１実施形態による局所検知装置の実施形の図である。
【図４】本発明の第２実施形態による局所検知装置の実施形の図である。
【図５】本発明の第３実施形態による局所検知装置の実施形の図である。
【図６】本発明による局所検知装置のブロック図である。
【図７】本発明によるブレーカの実施方法の図である。
【図８】電圧レベルに関する、本発明の実施形態による制御装置の動作様式を示すフローチャートである。
【図９】連続性測定に関する、本発明の実施形態による制御装置の動作様式を示すフローチャートである。
【符号の説明】
【００９１】
２０    住宅
２４    主電源装置
２６    ヒューズボックス
２８    コンセント
３０    電気オーブン
３２    ランプ
３４    冷蔵庫
３６    コンピュータ
３８    制御装置（又は「中央制御装置」）
４０    ブレーカ
４２    主ブレーカ
４４    負荷
４５    主配線ライン（又は「配線」又は「ライン」）
４６    検知装置（又は「局所検知装置」又は「遠隔検知装置」）
４８    基準検知装置（又は「基準センサ」又は「主基準センサ」）
５０    アダプタ
５２    ＡＣパワープラグ
５４    コンセント
５６    リセプタクル
５８    プロング
６０    プロング
６２    リセプタクル
７０    ＡＣパワープラグ
７４    コンセント
８０    ＡＣ配線ライン（又は「ライン」）
８２    ＡＣ配線ライン（又は「ライン」）
８４    電源装置
８６    アナログ／デジタルコンバータ
８８    プロセッサ装置（又は「プロセッサ」）
９０    通信インタフェース（又は「双方向通信インタフェース）
９２    連続性測定装置
９４    局所電源
１００    アダプタ（又は「検知装置」）
１０２    検知装置（又は「局所検知装置」）
１０４    内部ブレーカ（又は「ブレーカ」）
１１０    初期認識段階
１１３    受信段階
１４０    初期認識段階
１４２    データ収集段階
【図１】
2007526992.tif 000003
【図２】
2007526992.tif 000004
【図３】
2007526992.tif 000005
【図４】
2007526992.tif 000006
【図５】
2007526992.tif 000007
【図６】
2007526992.tif 000008
【図７】
2007526992.tif 000009
【図８】
2007526992.tif 000010
【図９】
2007526992.tif 000011
【国際調査報告】
2007526992.tif 000012